(57)【要約】【課題】刈払い刃の上面に配置し、回転部に巻きつく草や蔓を切断する板状回転刃を能率的に製造する方法を提供する。【解決手段】円形刃板Ａの外周縁に、回転方向の前端に一定幅の放射方向直線部３を有する複数の歯２を形成する。歯２の放射方向直線部３の基部に前端から後方に向けて切り込み４を設け、切り込み４を設けた歯２の前部を円形刃板Ａの板面５方向に折曲する。板面５から突出する折曲部分８を円形刃板Ａの板面５に沿って研磨することによって歯２の前端部に切り刃６を形成する。【選択図】  図１
2014226116.tif 000002
【特許請求の範囲】
【請求項１】
円形刃板の外周縁に、回転方向の前端に一定幅の放射方向直線部を有する複数の歯を形成し、該歯の放射方向直線部の基部に前端から後方に向けて切り込みを設け、該切り込みを設けた歯の前部を板面方向に折曲し、板面から突出する折曲部分を円形刃板の板面に沿って研磨することによって歯の前端部に切り刃を形成することを特徴とする板状回転刃の製造方法。
【請求項２】
円形刃板の中央部をプレス加工によって窪ませて皿状に形成し、該皿状に形成した円形刃板の外鍔外周縁に歯を形成することを特徴とする請求項１記載の板状回転刃の製造方法。
【請求項３】
円形刃板の板面方向に折曲する、歯の前部の折曲寸法は、折曲部分の先端において円形刃板の厚みと同一以上とすることを特徴とする請求項１又は２記載の板状回転刃の製造方法。
【発明の詳細な説明】
【技術分野】
【０００１】
この発明は、主として薄板で形成する回転刃、具体的にはチップソーなどの刈払い刃の上面に配置し、刈払い作業に伴って回転部に巻きつく草や蔓を切断することによって巻きつきを防止する、板状回転刃を効率的に製造する方法に関するものである。
【背景技術】
【０００２】
刈払い機では、チップソーなどの刈払い刃の上面に比較的薄い鋼板で形成した板状回転刃を配置し、刈払い作業に際して中心軸部分に巻きつく草や蔓を切断する巻きつき防止構造が知られている。
特許文献１の、図３、図４に記載された板状回転刃は浅い皿状とし、上端に設けた外鍔の外周縁に複数の歯を形成し、回転方向の歯の前端に切り刃を形成することによって、巻きつこうとする草を切断するものである。皿状とした板状回転刃の底面は、刈払い刃の表面に固定している。
板状回転刃は、刈払い刃の表面から一定の高さにおいて回転するものであれば、必ずしも皿状（カップ状）である必要はなく、平面的なものであってもよい。特許文献１の図６には、カップ状の円筒状部材の鍔に、歯を形成した平面的な鍔状部材を固定している。すなわち、平面的な鍔状部材が先に述べた板状回転刃に相当する。
【先行技術文献】
【特許文献】
【０００３】
【特許文献１】実開平６−２４４２９号公報
【発明の概要】
【発明が解決しようとする課題】
【０００４】
従来、板状回転刃を製造するには、円形刃板の外周縁に歯を形成し、それぞれの歯の前端に、研磨作業によって切り刃を形成していた。このような従来の製造方法では、個々の歯に研磨作業によって切り刃を形成するため、切り刃の研磨作業に手数を要し、能率的に板状回転刃を製造することができない欠点があった。
【０００５】
上記、従来技術の欠点に鑑み本発明は、一定状態の切り刃を備えた、すなわち一定品質の板状回転刃をより能率的に製造することができる方法を工夫したものである。
【課題を解決するための手段】
【０００６】
上記目的を達成するために、請求項１記載の発明は、円形刃板Ａの外周縁であって、回転方向の前端に一定幅の放射方向直線部３を有する複数の歯２、２を形成する。歯２、２の放射方向直線部３の基部に、前端から後方に向けて切り込み４を設け、この切り込み４を設けた歯２の前部を板面５方向に折曲する。そして板面５から突出する折曲部分８を、円形刃板Ａの板面５と平行に、すなわち円形刃板Ａの表面に沿って研磨することによって、歯２、２の前端部に切り刃６、６を形成する。
【０００７】
請求項２記載の発明は、円形刃板Ａの中央部をプレス加工によって窪ませて皿状に形成し、該皿状に形成した円形刃板Ａの外鍔７外周縁に歯２を形成することである。
【０００８】
請求項３記載の発明は、折曲寸法Ｘに関し、円形刃板１の板面５方向に折曲する歯２前部の折曲寸法Ｘは、折曲部分８の先端において円形刃板Ａの厚みｔと同一以上とすることである。
【発明の効果】
【０００９】
請求項１記載の発明によれば、円形刃板Ａの外周縁に形成した複数の歯２、２に、前端から後方に向けて切り込み４を設け、この切り込み４を設けた歯２の前部を板面５方向に折曲した上で、円形刃板の表面を研磨することによって、板面５から突出する折曲部分８が研磨され、歯２の前端に切り刃６が形成される。したがって、従来のように狭い歯幅の個々の歯２、２に対して研磨作業によって切り刃６を形成する必要がなく、円形刃板Ａの表面に沿って研磨することによって能率的に板状回転刃１を製造することができる。
また、研磨によって形成される切り刃６の先端は、円形刃板Ａの表面に沿って研磨した高さに統一され、切れ味の安定した板状回転刃１を製造することができる。
【００１０】
請求項２記載の発明によれば、円形刃板Ａの中央部をプレス加工によって窪ませて皿状に形成し、外鍔７外周縁に歯２を形成することによって、皿状（カップ状）の板状回転刃１を能率的に製造することができる。
【００１１】
請求項３記載の発明によれば、円形刃板Ａの表面を研磨することによって、板面５から突出する折曲部分８が研磨され、研磨された部分の前端に、確実に鋭利な切り刃６が形成される。
【図面の簡単な説明】
【００１２】
【図１】図１は、本発明に係る板状回転刃の製造工程の一例を示す流れ図、
【図２】図２は、切り刃の研磨過程を示す拡大断面図、
【図３】図３は、板状回転刃の一例を示す斜視図、
【図４】図４は、巻きつき防止の板状回転刃を、刈払い機に装着した使用状態を示す断面図である。
【発明を実施するための形態】
【００１３】
以下、本発明に係る板状回転刃の製造方法を、添付の図面に基づいて説明する。
図４は、刈払い機の先端部分の一例を示す断面図である。図４に示す刈払い機は、基端部にエンジンやモータといった回転駆動装置を取付けた支持杆９の先端に、前記回転駆動装置によって駆動される回転軸10に、チップソーなどの刈払い刃11を装着し、高速回転をする刈払い刃によって刈払い作業を行う。
【００１４】
刈払い刃11の中心部には、外周縁に切り刃６、６を形成した、巻きつき防止用の板状回転刃１を装着している。板状刃板１は、刈払い刃11の回転軸10に係合させ、あるいは刈払い刃11の上面に固定し、刈払い刃11とともに回転させることによって、回転軸10部分に巻きつこうとする草や蔓を切断することができるものである。
【００１５】
図３には、前記皿状に形成する板状回転刃１の一例を示している。図３に示す板状回転刃１は、円形刃板Ａの中央部を窪ませて皿状（カップ状）とし、その上縁に外鍔７を形成し、外鍔７の外周縁に複数の歯２、２を一定間隔に配置したものである。図３に示す実施形態の歯２、２は、前端が中心からの距離が一定であり、一定寸法の放射方向直線部３を備えている。外鍔７の外周縁は、放射方向直線部３から次位の歯２の基端部に向けて、なだらかに湾曲させている。
【００１６】
歯２、２前端の放射方向直線部３は、前端縁を鋭利に研磨して切り刃６を形成している。
皿状に形成する凹所12の底壁13中心部には、取付孔14が穿設してある。取付孔14は、刈払い機の回転軸10に装着することによって刈払い刃11と一体的に回転する嵌合形状としている。
【００１７】
図３に示す板状回転刃は、例えば厚み0.5mmから1.0mm程度の鋼板で製造することができる。製造工程の一例を図１に基づいて説明する。
（イ）に示すように、鋼材を必要な大きさの円形刃板Ａとする。
（ロ）円形刃板Ａの中央部をプレス加工によって窪ませて皿状とする。上端には外鍔７を形成する。
（ハ）外鍔７の外周縁に一定幅の放射方向直線部３を有する歯２、２と、底壁13に取付孔14をプレス加工（打ち抜き）によって形成する。
（ニ）歯２の放射方向直線部の基部に、前端から後方に向けて切り込み４を設ける。切り込み４を設けることによって自由となった、歯２の前端部を外鍔７の上面に向けて折曲する。
（ホ）外鍔７の板面５から上方に突出する折曲部分８を研磨することによって拡大図に示すように、鋭利な切り刃６を形成する。
【００１８】
板状回転刃１の成型は、図１に例示した工程に限るものではない。例えば、円形板状Ａを抜き加工する際に、歯２、２や取付孔14、あるいは切り込み４をプレス加工（打ち抜き）によって形成しておき、続いて歯２の前端部分を折曲して板面５から突出する折曲部分８を研磨して切り刃６を形成し、最終的にプレス加工によって皿状に成型することもできる。
【００１９】
また、板状回転刃１は、必ずしも皿状（カップ状）である必要はなく、円板状の場合もある。そのような場合は、上記工程において、皿状のプレス工程を省略することができる。また本発明は、刈払い機における巻きつき防止用の板状回転刃だけでなく、円形刃板Ａの外周縁に切り刃６を形成する任意の回転刃の製造に応用することができる。
【００２０】
本発明を実施するに際し、切り込み４を設けた歯２の前部の折曲寸法Ｘは、図２に示すように、折曲部分８の先端において、円形刃板の厚みと同一以上とする。基本的には、少なくとも板厚ｔと同一であれば鋭利な切り刃６が形成されるものであるが、現実的には厚みｔよりも折曲寸法Ｘを少し大きくしておくことによって、切り刃６を確実に形成することができる。
【００２１】
円形刃板Ａの板面５から突出する折曲部分８を研磨するには、図２（ｂ）に示すように、円形刃板の板面に沿ってグラインダ15で研磨することによって切り刃６を形成することができる。
なお、本発明においては、形成される切り刃６の刃先角度αは、図２から理解されるように、折曲部分８の折曲角度に等しいものとなる。
【００２２】
折曲部分８の寸法Ｌは、切り込み４の寸法によって決定される。また、折曲部分８の必要な折曲寸法Ｘは、板厚ｔと関連する。そして、折曲部分８の寸法Ｌと折曲寸法Ｘによって刃先角度αが決定される。したがって、折曲部分８の寸法Ｌを大きくし、かつ折曲寸法Ｘを大きくすると研磨によって切除する部分が多くなり製造上能率的ではない。すなわち、所望の刃先角となるように折曲角度をαとしたときに、折曲部分８の先端部分が板面５から僅かに突出する程度とするのが好ましい。
【００２３】
上記理由によって折曲部分８は長くする必要がない。特に、板厚ｔが薄い場合は僅かな折曲寸法で目的を達成することができる。しかしながら、板厚が薄く折曲寸法が短いと正確な折曲角度αで加工することが困難になる。このような場合正確な角度αに折曲することができる範囲で、折曲部分８を長めに形成し、研磨によって切除する寸法を有る程度大きくする。これにより、正確に一定の刃先角度αを備えた板状回転刃１を製造することができる。
【００２４】
上記工程によって製造した板状回転刃１では、折曲部分８先端部の上面に研磨面16が現れることになる。このことは、従来のように板面に対して刃先角度の斜め方向に研磨作業を行う必要がなく、研磨作業を容易に行なうことができるとともに、正確な研磨を行うことができる効果がある。
【００２５】
上記実施形態においては、円形刃板Ａの外周縁に形成した歯２に設けた折曲部分８を上方に折曲し、上方に突出した折曲部分８を研磨する工程を例示したが、折曲部分８は下方に折曲し、例えば外鍔７の底面を研磨するものであってもよい。
【符号の説明】
【００２６】
１…板状回転刃、  ２…歯、  ３…放射方向直線部、  ４…切り込み、  ５…板面、  ６…切り刃、  ７…外鍔、  ８…折曲部分、  ９…支持杆、  10…回転軸、  11…刈払い刃、  12…凹所、  13…底壁、  14…取付孔、  15…グラインダ、  16…研磨面、  Ａ…円形刃板。
【図１】
2014226116.tif 000003
【図２】
2014226116.tif 000004
【図３】
2014226116.tif 000005
【図４】
2014226116.tif 000006